Podtech/llm-jp-corpus-v4-ja_patent huggingface dataset:
【手続補正書】
【提出日】令和3年7月12日(2021.7.12)
【手続補正１】
【補正対象書類名】明細書
【補正対象項目名】００２２
【補正方法】変更
【補正の内容】
【００２２】
本発明者らはこの組み合わせが、ターポリマー単独のものに対して、かなり改善された電気機械特性（広い温度範囲にわたって拡張されたより大きな生成電気機械エネルギー）を有するデバイスを得ることを可能にすることを発見した。その機械的特性（特に弾性率）も、ターポリマー単独に対して有害な影響を受けない。
【手続補正２】
【補正対象書類名】明細書
【補正対象項目名】００４１
【補正方法】変更
【補正の内容】
【００４１】
第２の態様によれば、本発明は溶媒中の溶液中に、上記の組成物を含む電気活性フルオロポリマーの液体配合物に関する。一実施形態によれば、溶媒は、ケトン、例えばジメチルホルムアミド、ジメチルアセトアミド、ジメチルスルホキシド；ケトン溶媒、例えばアセトン、メチルエチルケトン、メチルイソブチルケトン、シクロヘキサノン及びシクロペンタノン；フラン、例えばテトラヒドロフラン；エステル、例えば酢酸メチル、酢酸エチル、酢酸プロピル、酢酸ブチル；グリコールエーテル及びグリコールエーテルエステル、例えばプロピレングリコールメチルエーテルアセテート；カーボネート、例えばジメチルカーボネート；ホスフェート、例えばトリエチルホスフェート；ジメチルスルホキシド；又はそれらの混合物の群から選択される。好ましくは、溶媒は、ケトン溶媒、例えばアセトン、メチルエチルケトン、メチルイソブチルケトン、シクロヘキサノン及びシクロペンタノン媒；エステル、例えば酢酸メチル、酢酸エチル、酢酸プロピル、酢酸ブチル；グリコールエーテル及びグリコールエーテルエステル、例えばプロピレングリコールメチルエーテルアセテート；カーボネート、例えばジメチルカーボネート；ホスフェート、例えばトリエチルホスフェート；又はそれらの混合物のような低毒性溶媒から選択される。この液体配合物は、湿潤剤、粘度調整剤、接着性調整剤及び架橋剤の群から選択される添加剤を含むことができる。
【手続補正３】
【補正対象書類名】特許請求の範囲
【補正対象項目名】全文
【補正方法】変更
【補正の内容】
【特許請求の範囲】
【請求項１】
ａ）フッ化ビニリデン、トリフルオロエチレン及び第３のモノマーＸのモノマー単位を含み、Ｘが１−クロロ−１−フルオロエチレン（ＣＦＥ）又はクロロトリフルオロエチレン（ＣＴＦＥ）である式Ｐ（ＶＤＦ−ＴｒＦＥ−Ｘ）の電気活性ターポリマーであって、該ターポリマー中のＸ単位のモル割合が、８％未満、好ましくは７％以下、より好ましくは５％以下であるターポリマーと、
ｂ）フッ化ビニリデン及びトリフルオロエチレンのモノマー単位を含む式Ｐ（ＶＤＦ−ＴｒＦＥ）の電気活性コポリマーであって、該コポリマー中のＴｒＦＥ単位のモル割合が、４０％より大きく、好ましくは４５％以上であるコポリマーと
からなる電気活性フルオロポリマー組成物。
【請求項２】
前記電気活性ターポリマーがＰ（ＶＤＦ−ＴｒＦＥ−ＣＦＥ）である、請求項１に記載の組成物。
【請求項３】
前記電気活性ターポリマーがＰ（ＶＤＦ−ＴｒＦＥ−ＣＴＦＥ）である、請求項１に記載の組成物。
【請求項４】
前記電気活性ターポリマーが、１５〜６０％、好ましくは３０〜５５％の範囲のモル比ＶＤＦ／（ＶＤＦ＋ＴｒＦＥ）を有する、請求項１〜３のいずれかに記載の組成物。
【請求項５】
前記組成物中の電気活性ターポリマーの質量比が、５０％より大きく、好ましくは７０％より大きく、より好ましくは８０％以上である、請求項１〜４のいずれかに記載の組成物。
【請求項６】
溶媒中の溶液中に、請求項１〜５のいずれかに記載の組成物を含む電気活性フルオロポリマーの液体配合物。
【請求項７】
前記溶媒が、アミド、例えばジメチルホルムアミド及びジメチルアセトアミド；ケトン溶媒、例えばアセトン、メチルエチルケトン、メチルイソブチルケトン、シクロヘキサノン及びシクロペンタノン；フラン、例えばテトラヒドロフラン；エステル、例えば酢酸メチル、酢酸エチル、酢酸プロピル、酢酸ブチル；グリコールエーテル；グリコールエーテルエステル、例えばプロピレングリコールメチルエーテルアセテート；カーボネート、例えばジメチルカーボネート；ホスフェート、例えばトリエチルホスフェート；ジメチルスルホキシド；又はそれらの混合物の群から選択される、請求項６に記載の配合物。
【請求項８】
湿潤剤、粘度調整剤、接着性調整剤及び架橋剤の群から選択される添加剤も含む、請求項６又は７に記載の配合物。
【請求項９】
請求項６〜８の配合物から得られるフィルム。
【請求項１０】
室温で、１００ＭＰａを超える、好ましくは５００ＭＰａを超える、より好ましくは８００ＭＰａを超える弾性率を有する、請求項９に記載のフィルムであって、該フィルムが未延伸状態にあるフィルム。
【請求項１１】
前記フィルムが、１１０Ｖ／μｍの印加電界で、０．１％を超える、好ましくは１％を超える、より好ましくは１．５％を超える変形を示す、請求項９又は１０に記載のフィルム。
【請求項１２】
スクリーン印刷、スピンコーティング、スロットダイ、インクジェット、及びエアロゾルジェットから選択される印刷技術などの溶媒キャスト法によって調製される、請求項９〜１１のいずれかに記載のフィルム。
【請求項１３】
請求項９〜１２のいずれかに記載のフィルムの少なくとも１つの層を含む電気機械デバイス。
【請求項１４】
請求項９〜１２のいずれかに記載のフィルムの少なくとも１つの層を含むアクチュエータ。
【請求項１５】
請求項９〜１２のいずれかに記載のフィルムの少なくとも１つの層を含む、スピーカ又は超音波トランスデューサなどの音響デバイス。
【請求項１６】
請求項９〜１２のいずれかに記載のフィルムの少なくとも１つの層を含む、微小電気機械システム（ＭＥＭＳ）。
【請求項１７】
請求項９〜１２のいずれかに記載のフィルムの少なくとも１つの層を含む（光）電子デバイス。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
基板及び前記基板によって支持される電気導体を含み、少なくとも２つの露出領域を画定する電気コイルと、
前記電気コイルに近接する電気ヒューズ導体を含むヒューズ素子であって、前記電気ヒューズ導体が前記少なくとも２つの露出領域から離間される非係合位置から、前記電気ヒューズ導体が前記少なくとも２つの露出領域と電気的に導通し、電流が、前記少なくとも２つの露出領域のうちの第１の領域から、前記電気ヒューズ導体を通って、前記少なくとも２つの露出領域のうちの第２の領域に流れる、係合位置まで移動可能であるヒューズ素子と、を備える、電気コイルアセンブリであって、
前記電気コイルアセンブリが、前記ヒューズ素子を前記非係合位置から前記係合位置まで移動させるように、約１テスラ〜５テスラの磁場に応答する、電気コイルアセンブリ。
【請求項２】
前記ヒューズ素子は、前記電気ヒューズ導体が前記少なくとも２つの露出領域と機械的に接触する、前記係合位置へと移動可能である、請求項１に記載の電気コイルアセンブリ。
【請求項３】
前記ヒューズ素子が、前記非係合位置から前記係合位置へと移動するように、磁気共鳴映像装置に応答する、請求項１に記載の電気コイルアセンブリ。
【請求項４】
前記電気導体が、前記基板の第１の面によって支持され、かつ前記電気コイルが、前記少なくとも２つの露出領域を画定する第１の複数の折り畳まれた縁部を画定するように、折り畳まれた位置に配置されている、請求項１に記載の電気コイルアセンブリ。
【請求項５】
前記ヒューズ素子が、前記電気ヒューズ導体に隣接するアクチュエータを更に含み、前記アクチュエータが、前記電気ヒューズ導体を前記少なくとも２つの露出領域に向かって移動させるように移動可能である、請求項１に記載の電気コイルアセンブリ。
【請求項６】
前記アクチュエータは、前記電気コイルアセンブリが前記磁場にさらされるときに長手方向に沿って移動して、前記電気ヒューズ導体を、前記長手方向に対して実質的に垂直な横断方向に沿って移動させるように構成されている、請求項５に記載の電気コイルアセンブリ。
【請求項７】
前記アクチュエータが、上面及び前記上面とは反対側の底面を画定し、前記電気ヒューズ導体が、上面及び前記上面とは反対側の底面を画定し、前記アクチュエータの前記底面は、前記電気コイルアセンブリが前記磁場にさらされるときに、前記電気ヒューズ導体の前記上面に沿って乗るように構成されている、請求項５に記載の電気コイルアセンブリ。
【請求項８】
前記電気ヒューズ導体の前記底面が、導電性材料を含む、請求項７に記載の電気コイルアセンブリ。
【請求項９】
前記電気ヒューズ導体が前記係合位置にあるとき、前記第１の複数の折り畳まれた縁部のうちの少なくとも２つが、前記電気ヒューズ導体を介して互いに電気的に連結されている、請求項４に記載の電気コイルアセンブリ。
【請求項１０】
前記電気コイルアセンブリが、前記電気ヒューズ導体を前記非係合位置に支持する付勢要素を更に備える、請求項１に記載の電気コイルアセンブリ。
【請求項１１】
前記付勢要素が、前記電気ヒューズ導体を前記非係合位置に付勢するように前記電気ヒューズ導体と接触している少なくとも１つのばね要素を備える、請求項１０に記載の電気コイルアセンブリ。
【請求項１２】
前記アクチュエータは、前記電気コイルアセンブリが前記磁場にさらされるときに、前記長手方向に沿って移動可能な磁石を備える、請求項６に記載の電気コイルアセンブリ。
【請求項１３】
前記アクチュエータは、前記電気コイルアセンブリが前記磁場にさらされるときに膨張するように構成されている圧電材料に取り付けられている、請求項６に記載の電気コイルアセンブリ。
【請求項１４】
前記圧電材料が、前記電気コイルの第１の端部及び第２の端部に電気的に連結され、電圧が前記磁場によって前記電気コイル内に誘導されるときに、前記圧電材料が前記長手方向に沿って膨張する、請求項１３に記載の電気コイルアセンブリ。
【請求項１５】
基板と、前記基板の第１の面によって支持される単一の連続トレースを画定する電気導体とを備え、複数の折り畳まれた縁部を画定するように折り畳まれた位置に配置される電気コイルであって、
前記電気導体が、第１の幅と、前記第１の幅よりも小さい第２の幅を有する狭い場所とを画定し、閾値を超える電圧又は電流が前記電気コイル内に誘導されるときに、前記単一の連続トレースをもはや画定しないように、前記電気導体が前記狭い場所で破断する、電気コイル。
【請求項１６】
前記基板が、前記基板の前記第１の面とは反対側の第２の面を画定し、かつ前記電気導体が、前記基板の前記第１の面によってのみ支持されている、請求項１５に記載の電気コイル。
【請求項１７】
前記電気導体が、前記第２の幅を有する複数の狭い場所を画定し、かつ前記電気導体が、前記狭い場所以外の全ての他の場所において前記第１の幅を画定する、請求項１５に記載の電気コイル。
【請求項１８】
前記折り畳まれた位置に配置された前記電気コイルは、長手方向に沿って複数のセグメントを画定し、各セグメントは、前記複数の折り畳まれた縁部のうちの折り畳まれた縁部において、少なくとも１つの他のセグメントに取り付けられ、かつ前記長手方向に沿って互いに隣接するセグメントはセグメント対を画定し、各セグメント対が、前記電気導体の少なくとも１つの前記狭い場所を支持する、請求項１５に記載の電気コイル。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
ユーザ機器(UE)による、ワイヤレス通信のための方法であって、
訪問先ネットワークからメッセージを受信するステップであって、前記メッセージが、アタッチ拒否メッセージ、トラッキングエリア更新(TAU)拒否メッセージ、またはサービス拒否メッセージを含む、ステップと、
前記訪問先ネットワークがローミングの禁止トラッキングエリアの第1のリスト内にあると決定するステップであって、前記第1のリストが、加入者識別モジュール(SIM)の外の、前記UE上に存在する、ステップと、
前記訪問先ネットワークが前記第1のリスト内にあることに応答して、前記訪問先ネットワークに関連付けられたカウンタの値を決定するステップと、
前記訪問先ネットワークが前記第1のリスト内にあることに応答して、前記訪問先ネットワークに関連付けられた前記カウンタを増分するステップと、
前記カウンタの前記値が最大カウンタ値に等しいことに応答して、
前記第1のリストから前記訪問先ネットワークを削除するステップと、
前記訪問先ネットワークをローミングの禁止トラッキングエリアの第2のリストに追加するステップであって、前記第2のリストが前記SIM内に存在する、ステップと
を備える方法。
【請求項２】
前記SIMが前記UEから取り外されたことまたは前記UEが電源オフされたことに応答して、前記第1のリストにおけるすべてのエントリを削除するステップ
をさらに備える、請求項1に記載の方法。
【請求項３】
前記訪問先ネットワークにキャンプオンするステップをさらに備え、前記キャンプオンすることが、
前記訪問先ネットワークにおいてセルを探索することと、
前記セルを選択することと、
前記UEの制御チャネルを前記セルに同調させることと
を備える、請求項1に記載の方法。
【請求項４】
前記UEがUE構成カウンタを維持しないと決定するステップと、
前記訪問先ネットワークを前記第2のリストに追加するステップと
をさらに備える、請求項1に記載の方法。
【請求項５】
前記UEがUE構成カウンタを維持すると決定するステップと、
前記UE構成カウンタが0または1の値を有すると決定するステップと、
前記訪問先ネットワークを前記第2のリストに追加するステップと
をさらに備える、請求項1に記載の方法。
【請求項６】
前記訪問先ネットワークがホームネットワークとは異なる、
請求項1に記載の方法。
【請求項７】
前記メッセージが非完全性保護拒否メッセージを含み、前記訪問先ネットワークが許可されないことを示す原因値をさらに含む、
請求項1に記載の方法。
【請求項８】
前記原因値が、発展型パケットシステム(EPS)モビリティ管理(EMM)原因#11を含む、
請求項7に記載の方法。
【請求項９】
ワイヤレス通信のための装置であって、
訪問先ネットワークからメッセージを受信するための手段であって、前記メッセージが、アタッチ拒否メッセージ、トラッキングエリア更新(TAU)拒否メッセージ、またはサービス拒否メッセージを含む、手段と、
前記訪問先ネットワークがローミングの禁止トラッキングエリアの第1のリスト内にあると決定するための手段であって、前記第1のリストが、加入者識別モジュール(SIM)の外の、ユーザ機器(UE)上に存在する、手段と、
前記訪問先ネットワークが前記第1のリスト内にあることに応答して、前記訪問先ネットワークに関連付けられたカウンタの値を決定するための手段と、
前記訪問先ネットワークが前記第1のリスト内にあることに応答して、前記訪問先ネットワークに関連付けられた前記カウンタを増分するための手段と、
前記カウンタの前記値が最大カウンタ値に等しいことに応答して、
前記第1のリストから前記訪問先ネットワークを削除するための手段と、
前記訪問先ネットワークをローミングの禁止トラッキングエリアの第2のリストに追加するための手段であって、前記第2のリストが前記SIM内に存在する、手段と
を備える装置。
【請求項１０】
前記SIMが前記UEから取り外されたことまたは前記UEが電源オフされたことに応答して、前記第1のリストにおけるすべてのエントリを削除するための手段
をさらに備える、請求項9に記載の装置。
【請求項１１】
前記訪問先ネットワークにキャンプオンするための手段をさらに備え、前記キャンプオンすることが、
前記訪問先ネットワークにおいてセルを探索するための手段と、
前記セルを選択するための手段と、
前記UEの制御チャネルを前記セルに同調させるための手段と
を備える、請求項9に記載の装置。
【請求項１２】
前記UEがUE構成カウンタを維持しないと決定するための手段と、
前記訪問先ネットワークを前記第2のリストに追加するための手段と
をさらに備える、請求項9に記載の装置。
【請求項１３】
前記UEがUE構成カウンタを維持すると決定するための手段と、
前記UE構成カウンタが0または1の値を有すると決定するための手段と、
前記訪問先ネットワークを前記第2のリストに追加するための手段と
をさらに備える、請求項9に記載の装置。
【請求項１４】
コンピュータによって実行されると、請求項１〜８のいずれか一項に記載の方法を前記コンピュータによって実行させるワイヤレス通信のためのコードを格納する非一時的コンピュータ可読記憶媒体。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
単離ＨＬＡ−Ｇタンパク質であって、配列が次の特性：
−そのＮ末端部分において、５個のアミノ酸残基ＭＫＴＰＲ、つまり配列番号１を含むこと、および／または；
−α１ドメインを欠く、つまり配列番号３の配列を欠くこと、および／または；
−膜貫通／細胞質ドメインを欠く、つまり配列番号６を欠き、前記タンパク質が、配列番号９０、９１および９２の配列の何れかからなること、および／または；
−１個のイントロンの少なくとも一部の保持の結果得られるアミノ酸を含み、ただし前記イントロンがイントロン２またはイントロン４ではないこと
のうち少なくとも１つを有する、単離ＨＬＡ−Ｇタンパク質。
【請求項２】
その配列が、配列番号７〜配列番号３１からなる群から選択される配列を含むかまたはそれらのみからなる、請求項１に記載の単離ＨＬＡ−Ｇタンパク質。
【請求項３】
そのＮ末端部分に５個のアミノ酸残基ＭＫＴＰＲを含む、請求項１に記載の単離ＨＬＡ−Ｇタンパク質。
【請求項４】
その配列が、配列番号７、８、９、１０、１１、１２、１３、１４、１５、１６からなる群から選択される配列を含むかまたはそれらのみからなる、請求項１に記載の単離ＨＬＡ−Ｇタンパク質。
【請求項５】
その配列が、配列番号９、１０、１１、１２、１３、１４、１７、１８、１９、２０、２２、２３、２４、２５、２６、２７、２９、３０、３１からなる群から選択される配列を含むかまたはそれらのみからなる、請求項１に記載の単離ＨＬＡ−Ｇタンパク質。
【請求項６】
その配列が、配列番号８、１０、１２、１４、１６、１８、２０、２１、２３、２５、２７、２８、３０からなる群から選択される配列を含むかまたはそれらからなる、請求項１に記載の単離ＨＬＡ−Ｇタンパク質。
【請求項７】
請求項１〜６の何れかで定義されるタンパク質をコードする、単離ポリヌクレオチド。
【請求項８】
請求項７で定義されるポリヌクレオチドを含む、組み換えベクター。
【請求項９】
医薬、好ましくは自己免疫および／または炎症性疾患の処置での、または同種異系移植片拒絶の予防および／または処置での使用のための医薬であって、請求項１〜６の何れかで定義されるタンパク質、請求項７で定義されるポリヌクレオチドおよび／または請求項８で定義されるベクターを含む医薬。
【請求項１０】
虚血、好ましくは心血管系疾患、末梢動脈疾患または脳卒中に付随する虚血の予防および／または処置における使用のための医薬であって、請求項１〜６の何れかで定義されるタンパク質、請求項７で定義されるポリヌクレオチドおよび／または請求項８で定義されるベクターを含む医薬。
【請求項１１】
血管網膜症の予防および／または処置での使用のための医薬であって、請求項１〜６の何れかで定義されるタンパク質、請求項７で定義されるポリヌクレオチドおよび／または請求項８で定義されるベクターを含む医薬。
【請求項１２】
−配列番号３２；
−配列番号３３または；
−配列番号３４
の少なくとも一部に相補的な配列を有するアンチセンスオリゴヌクレオチド。
【請求項１３】
配列番号３５、３６または３７の配列のペプチドのうち少なくとも１つに特異的な抗体。
【請求項１４】
対象の生体試料中で、少なくとも、配列番号３８〜７４の配列および／または請求項１〜６の何れかで定義されるようなタンパク質のうち少なくとも１つからなるリストにおいて選択される配列を有するＲＮＡ転写物を検出する工程、ここで、好ましくは前記検出が、少なくとも配列番号７５〜７９からなるリストにおいて選択される配列を有するプライマーを使用して行われる；及び
前記ＲＮＡ転写物が前記生体試料中で検出されたときに、前記対象が癌に罹っていると決定する工程
を含む、対象が癌に罹っているか否かを決定するためのインビトロの方法。
【請求項１５】
配列番号７８〜８４からなるリストにおいて選択される配列を有する少なくとも２つのプライマーを含む、好ましくは少なくとも次のもの：
−配列番号７６の配列のプライマーＥｘ１Ｆまたは配列番号７７の配列のプライマーＰｒＰｒＦおよび配列番号８０の配列のプライマーＧ５２６Ｒ；
−配列番号７５の配列のプライマーｉｎｔ４Ｒおよび配列番号７８の配列のプライマーＩｎｔ３Ｆ；
−配列番号７８の配列のプライマープライマーＩｎｔ３Ｆおよび配列番号７９の配列のプライマーＩｎｔ５Ｒ
からなるリストにおいて選択されるプライマーの組み合わせを含む、キット。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
コンピューターにより処理される方法であって、
第１の軸及び第２の軸を含む平面に、複数の感情を異なる座標にマッピングする段階と、
前記複数のマッピングされた座標に基づいて、前記平面を分割する段階と、
前記分割された平面の夫々を底面とし、前記平面に垂直な第３の軸の方向の高さを有する複数の錐を生成する段階と、
前記第１の軸、第２の軸、及び第３の軸からなる３次元の感情スペースに含まれた第１の座標を決定する段階と、
前記第１の座標に対応する感情を決定する段階と、
前記第１の軸の成分、前記第２の軸の成分、及び前記第３の軸の成分の夫々の変化量を得る段階と、
前記得られた変化量を前記第１の座標に適用することにより、第３の座標を算出する段階と、
前記第３の座標に対応する感情に前記コンピューターの感情を変更する段階と、含み、
前記感情を決定する段階は、
前記第１の座標を極座標の感情平面上の第２の座標にマッピングする段階と、
前記第２の座標に対応する感情を決定する段階と、を含み、
前記第２の座標にマッピングする段階は、
前記第１の座標の前記第１の軸の成分及び第２の軸の成分に基づき、前記第２の座標の角度を算出する段階と、
前記第１の座標の前記第３の軸の成分に基づき、前記第２の座標の半径を算出する段階と、を含み、
前記感情スペースにおいて、前記複数の錐の夫々に含まれた座標は、前記複数の錐の夫々の底面に含まれた前記マッピングされた座標にマッピングされた感情に対応し、前記複数の錐の夫々に含まれた座標それぞれの前記第３の軸の方向の成分の大きさは、前記複数の錐の夫々の底面に含まれた座標それぞれに対応する感情の深度を示す、コンピューターの感情を決定する方法。
【請求項２】
前記極座標の感情平面上の座標は、感情の輪上の箇所に対応する、請求項1に記載のコンピューターの感情を決定する方法。
【請求項３】
前記平面を分割する段階は、ボロノイ図を用いて前記平面を分割することを特徴とする、請求項１に記載のコンピューターの感情を決定する方法。
【請求項４】
前記３次元の感情スペースにおいて、前記第３の軸の成分が0以下である座標は、基底感情に対応する、請求項１に記載のコンピューターの感情を決定する方法。
【請求項５】
前記コンピューターの目標感情に対応する第４の座標を得る段階と、
所定の速度で前記第１の座標から前記第４の座標へ移動する段階と、
前記移動する経路上の各座標に対応する感情を得る段階と、
前記得られた感情に前記コンピューターの感情を変更する段階と、を更に含む、請求項１に記載のコンピューターの感情を決定する方法。
【請求項６】
前記移動する段階は、
前記コンピューターの目標感情を第５の座標に変更する段階と、
所定の速度で前記第５の座標へ移動する段階と、を更に含む、請求項5に記載のコンピューターの感情を決定する方法。
【請求項７】
前記第１の座標が前記複数の錐に含まれていない場合、前記第１の座標から最も近い錐へ垂直に移動する段階を更に含む、請求項１に記載のコンピューターの感情を決定する方法。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
光子カウントＸ線ディテクターのための散乱防止グリッドであって、前記散乱防止グリッドは、
表面と、
前記表面を形成する複数のストリップであって、前記複数のストリップが少なくとも２つのガードストリップを含み、前記少なくとも２つのガードストリップは、前記表面と平行な方向において前記複数のストリップのうちの１つ又は複数の他のストリップより厚く、前記１つ又は複数の他のストリップが、前記少なくとも２つのガードストリップ間に位置する、複数のストリップと、
を備え、
前記表面と平行な前記方向において、前記少なくとも２つのガードストリップのうちの１つのガードストリップが、２つの隣接するディテクターピクセル間における隙間と重複し、且つ、前記隙間におけるクリティカルゾーンと重複し、
前記少なくとも２つのガードストリップのうちの前記１つのガードストリップが、前記表面と平行な前記方向において厚さを有し、前記１つのガードストリップの前記厚さは、前記隙間における前記クリティカルゾーンの寸法に対応し、
前記クリティカルゾーンにおいて、クラウドのある部分が、電界により前記２つの隣接するディテクターピクセルのうちの一方のディテクターピクセルに向けられ、前記クラウドの別の部分が、前記２つの隣接するディテクターピクセルのうちの他方のディテクターピクセルに向けられる、散乱防止グリッド。
【請求項２】
前記少なくとも２つのガードストリップ又は前記少なくとも１つ若しくは複数の他のストリップが、ホイルから形成される、請求項１に記載の散乱防止グリッド。
【請求項３】
前記ホイルが金属である、請求項２に記載の散乱防止グリッド。
【請求項４】
前記ホイルは、モリブデン、鉛及びタングステンのうちの少なくとも１つを含む、請求項３に記載の散乱防止グリッド。
【請求項５】
１０対４０のアスペクト比を含む、請求項１に記載の散乱防止グリッド。
【請求項６】
前記ガードストリップの厚さが、２０μｍから２００μｍの間である、請求項１に記載の散乱防止グリッド。
【請求項７】
前記１つ又は複数の他のストリップのうちの少なくとも１つの厚さが、５μｍから５０μｍの間である、請求項１に記載の散乱防止グリッド。
【請求項８】
２つの隣接するディテクターピクセルを含む少なくとも１つのディテクターピクセルを有する、光子カウントＸ線ディテクターと、
散乱防止グリッドと、
を備える撮像装置であって、前記散乱防止グリッドは、
表面と、
前記表面を形成する複数のストリップであって、前記複数のストリップが少なくとも２つのガードストリップを含み、前記少なくとも２つのガードストリップは、前記表面と平行な方向において前記複数のストリップのうちの１つ又は複数の他のストリップより厚く、前記１つ又は複数の他のストリップが、前記少なくとも２つのガードストリップ間に位置する、複数のストリップと、
を含み、
前記表面と平行な前記方向において、前記少なくとも２つのガードストリップのうちの１つのガードストリップが、前記２つの隣接するディテクターピクセル間における隙間と重複し、且つ、前記隙間におけるクリティカルゾーンと重複し、
前記少なくとも２つのガードストリップのうちの前記１つのガードストリップが、前記表面と平行な前記方向において厚さを有し、前記１つのガードストリップの前記厚さは、前記隙間における前記クリティカルゾーンの寸法に対応し、
前記クリティカルゾーンにおいて、クラウドのある部分が、電界により前記２つの隣接するディテクターピクセルのうちの一方のディテクターピクセルに向けられ、前記クラウドの別の部分が、前記２つの隣接するディテクターピクセルのうちの他方のディテクターピクセルに向けられる、撮像装置。
【請求項９】
前記２つの隣接するディテクターピクセルの両方による同じＸ線放射線事象の検出に対する可能性を低減するために、前記少なくとも２つのガードストリップのうちの少なくとも１つが、前記２つの隣接するディテクターピクセル間に位置する、請求項８に記載の撮像装置。
【請求項１０】
前記少なくとも１つのディテクターピクセルの寸法は、５０μｍから１ｍｍの間である、請求項８に記載の撮像装置。
【請求項１１】
事象カウンターとして実行する少なくとも１つのプロセッサを備える、請求項８に記載の撮像装置。
【請求項１２】
前記事象カウンターは、スペクトル撮像をサポートする、請求項１１に記載の撮像装置。
【請求項１３】
コンピュータ断層撮影スキャナである、請求項８に記載の撮像装置。
【請求項１４】
光子カウントＸ線ディテクターの散乱防止グリッドを製造する方法であって、前記散乱防止グリッドが、２つの異なる厚さのストリップを含み、前記方法は、
表面を提供するステップと、
前記表面を形成する複数のストリップであって、前記複数のストリップが少なくとも２つのガードストリップを含み、前記少なくとも２つのガードストリップは、前記表面と平行な方向において前記複数のストリップのうちの１つ又は複数の他のストリップより厚く、前記１つ又は複数の他のストリップが、前記少なくとも２つのガードストリップ間に位置する、複数のストリップを提供するステップであって、前記表面と平行な前記方向において、前記少なくとも２つのガードストリップのうちの１つのガードストリップが、２つの隣接するディテクターピクセル間における隙間と重複し、且つ、前記隙間におけるクリティカルゾーンと重複する、複数のストリップを提供するステップと、
前記隙間における前記クリティカルゾーンの寸法を特定するステップであって、前記クリティカルゾーンにおいて、クラウドのある部分が、電界により前記２つの隣接するディテクターピクセルのうちの一方のディテクターピクセルに向けられ、前記クラウドの別の部分が、前記２つの隣接するディテクターピクセルのうちの他方のディテクターピクセルに向けられる、特定するステップと、
特定された前記寸法に基づいて、前記少なくとも２つのガードストリップのうちの前記１つのガードストリップの厚さを指定するステップと、
を有する、方法。
【請求項１５】
前記少なくとも２つのガードストリップ間の距離が、前記光子カウントＸ線ディテクターにおいて形成される、平均電荷雲直径、又は、光の光子の平均の広がりの寸法に対応する、請求項１に記載の散乱防止グリッド。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、前記方法は、
プロセッサに、複数のデジタル画像を提供することであって、前記デジタル画像の各々は、認識されるオブジェクトと、前記オブジェクトの前記画像が取得された実世界条件を反映するテクスチャ又はスタイル特徴とを含む、提供することと、
前記プロセッサを介して、前記複数のデジタル画像を、前記画像の前記テクスチャ又はスタイル特徴に応じて異なるグループにクラスタ化することであって、前記グループの各々は、類似のテクスチャ又はスタイル特徴を有する前記デジタル画像のうちの１つ以上を含む、クラスタ化することと、
前記プロセッサを介して、画像の前記グループの各々から１つ以上の代表スタイル画像を選択することと、
前記プロセッサを介して、スタイル変換ニューラルネットワークを、前記代表スタイル画像のうちの少なくとも１つに対して訓練して、１つ以上の訓練済みスタイル変換ニューラルネットワークを取得することと、
前記訓練済みスタイル変換ニューラルネットワークを介して、前記テクスチャ又はスタイル特徴を前記代表画像の各々からターゲット画像に変換して、スタイル変換された画像を生成することと、
前記スタイル変換された画像を使用して画像認識機械学習モデルを訓練することと、
を含む、方法。
【請求項２】
前記スタイル変換ニューラルネットワークは、事前に訓練され、前記訓練済みスタイル変換ニューラルネットワークは、格納され、呼び出されて使用される、請求項１に記載の方法。
【請求項３】
前記代表スタイル画像を選択することが、前記グループの各々のクラスタ中心において、前記画像を選択することを含む、請求項１に記載の方法。
【請求項４】
多様体学習法を介して、前記グループの次元を２Ｄクラスタに削減することを更に含む、請求項１に記載の方法。
【請求項５】
画像認識システムであって、前記システムは、プロセッサを備え、
前記プロセッサは、
複数のデジタル画像を受信して、前記デジタル画像の各々が、認識されるオブジェクトと、前記オブジェクトの前記画像が取得された実世界条件を反映するテクスチャ又はスタイル特徴とを含み、
前記複数のデジタル画像を、前記画像の前記テクスチャ又はスタイル特徴に応じて異なるグループにクラスタ化して、前記グループの各々が類似のテクスチャ又はスタイル特徴を有する前記デジタル画像のうちの少なくともいくつかを含み、
画像の前記グループの各々から１つ以上の代表スタイル画像を選択し、
スタイル変換ニューラルネットワークを、前記代表スタイル画像のうちの少なくとも１つに対して訓練して、１つ以上の訓練済みスタイル変換ニューラルネットワークを取得する、
ように構成されている、画像認識システム。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
核酸リンカーを介して２つ以上の発光標識に接続されたヌクレオチドを含む標識ヌクレオチドにおいて、各発光標識は、任意の他の発光標識から少なくとも５オングストローム離れている、標識ヌクレオチド。
【請求項２】
各発光標識が、任意の他の発光標識の重心から少なくとも５オングストローム離れた重心を含む、請求項１に記載の標識ヌクレオチド。
【請求項３】
１つ以上の発光標識が、前記発光標識と前記リンカー上の付着部位との間に少なくとも８つの隣接原子を含むスペーサ分子を介して前記リンカーに付着しており、
任意で、前記スペーサ分子が、前記発光標識と前記リンカー上の前記付着部位との間に５０個未満、４０個未満、３０個未満、または２０個未満の連続した原子を含む、請求項１または請求項２に記載の標識ヌクレオチド。
【請求項４】
前記リンカーが、少なくとも１０個のモノマー単位を含むオリゴマーであり、任意で、前記オリゴマーが、１５０未満、１００未満、または５０未満のモノマー単位を含む、請求項１〜３のいずれか一項に記載の標識ヌクレオチド。
【請求項５】
１つ以上の発光標識が、任意の他の付着部位から少なくとも５モノマー単位離れた付着部位で前記リンカーに付着している、請求項４に記載の標識ヌクレオチド。
【請求項６】
前記核酸リンカーは、第１のオリゴヌクレオチド鎖の２つ以上の付着部位で２つ以上の発光標識に付着した同第１のオリゴヌクレオチド鎖を含み、かつ各発光標識は、任意の他の発光標識の中心点から少なくとも５オングストローム離れた中心点を有する立体体積を含む、請求項１に記載の標識ヌクレオチド。
【請求項７】
前記第１のオリゴヌクレオチド鎖とハイブリダイズした第２のオリゴヌクレオチド鎖をさらに含み、
（ｉ）前記第１のオリゴヌクレオチド鎖が前記ヌクレオチドに付着しているか、あるいは
（ｉｉ）前記第２のオリゴヌクレオチド鎖が前記ヌクレオチドに付着している、請求項６に記載の標識ヌクレオチド。
【請求項８】
前記２つ以上の付着部位が、前記第１のオリゴヌクレオチド鎖上において少なくとも５塩基、かつ５０未満の塩基によって互いに分離している、請求項６または請求項７に記載の標識ヌクレオチド。
【請求項９】
各付着部位が、前記第１のオリゴヌクレオチド鎖上のグアニンまたはシトシンから分離された少なくとも２塩基である、請求項６〜８のいずれか一項に記載の標識ヌクレオチド。
【請求項１０】
少なくとも１つの付着部位が、前記第１のオリゴヌクレオチド鎖上の脱塩基部位に生じる、請求項６〜９のいずれか一項に記載の標識ヌクレオチド。
【請求項１１】
前記第１のオリゴヌクレオチド鎖が１つ以上のステムループを形成し、任意で、各ステムループのループ領域が、前記２つ以上の付着部位の付着部位を含む、請求項６〜１０のいずれか一項に記載の標識ヌクレオチド。
【請求項１２】
リンカーを介して２つ以上の発光標識に接続されたヌクレオチドを含む標識ヌクレオチドであって、前記リンカーは、
第１のオリゴヌクレオチド鎖であって、共有結合カップリング化合物を介して同第１のオリゴヌクレオチドの末端で２つ以上の分岐オリゴヌクレオチド鎖に付着し、各分岐オリゴヌクレオチド鎖は発光標識を有する第１のオリゴヌクレオチド鎖と、
ヌクレオチドに付着した第２のオリゴヌクレオチド鎖であって、前記第１のオリゴヌクレオチド鎖とハイブリダイズする第２のオリゴヌクレオチド鎖と、
を含む核酸である、標識ヌクレオチド。
【請求項１３】
各分岐オリゴヌクレオチド鎖が相補的分岐オリゴヌクレオチド鎖とさらにハイブリダイズする、請求項１２記載の標識ヌクレオチド。
【請求項１４】
前記共有結合カップリング化合物が構造：
【化１】
2020530988.tif 000001
からなり、
式中、
Ｎｆは第１のオリゴヌクレオチド鎖であり、
Ｎｂは分岐オリゴヌクレオチド鎖であり、
ＲｆおよびＲｂはそれぞれ、互いに独立して、置換または非置換アルキレン；置換または非置換アルケニレン；置換または非置換アルキニレン；置換または非置換ヘテロアルキレン；置換または非置換ヘテロアルケニレン；置換または非置換ヘテロアルキニレン；置換または非置換ヘテロシクリレン；置換または非置換カルボシクリレン；置換または非置換アリーレン；置換または非置換ヘテロアリーレン；およびそれらの組み合わせ、からなる群から選択される結合部または連結基であり、かつ
Ｏの各例は、隣接するオリゴヌクレオチド鎖の５’リン酸基または３’ヒドロキシル基のいずれかの酸素原子である、
請求項１２または請求項１３に記載の標識ヌクレオチド。
【請求項１５】
リンカーを介して２つ以上の発光標識に接続されたヌクレオチドを含む標識ヌクレオチドであって、前記リンカーは、
共有結合カップリング化合物から伸びる３つ以上のオリゴヌクレオチド鎖を含む第１のオリゴヌクレオチド成分であって、オリゴヌクレオチド鎖の少なくとも１つが前記ヌクレオチドに付着している、第１のオリゴヌクレオチド成分と、
発光標識に付着した少なくとも１つのオリゴヌクレオチド鎖を含む第２のオリゴヌクレオチド成分であって、同第２のオリゴヌクレオチド成分が前記第１のオリゴヌクレオチド成分とハイブリダイズし、それにより前記ヌクレオチドおよび前記発光標識を接続する、第２のオリゴヌクレオチド成分と、
を含む核酸である、標識ヌクレオチド。
【請求項１６】
リンカーを介して２つ以上の発光標識に接続されたヌクレオチドを含む標識ヌクレオチドにおいて、各発光標識は、任意の他の発光標識から少なくとも５オングストローム離れている、標識ヌクレオチド。
【請求項１７】
鋳型核酸の配列を決定する方法であって、前記方法は、
（ｉ）標的体積中の複合体であって、鋳型核酸、プライマー、および重合酵素を含む複合体を、１つ以上の異なるタイプの発光標識ヌクレオチドにさらすことであって、各タイプの発光標識ヌクレオチドは、請求項１〜１６のいずれか一項に記載の標識ヌクレオチドを含む、前記さらすことと、
（ｉｉ）１つ以上の励起エネルギーの一連のパルスを前記標的体積の近くに向けることと、
（ｉｉｉ）プライマーを含む核酸への連続的な取り込み中に、発光標識ヌクレオチドから複数の放射光子を検出することと、
（ｉｖ）タイミングと、任意選択的に放射された光子の発光強度とを決定することにより取り込まれたヌクレオチドの配列を識別することと、
を含む、方法。
【請求項１８】
鋳型核酸を配列決定するためのキットであって、前記キットは、
２つ以上の異なるタイプの発光標識ヌクレオチドを含み、各タイプの発光標識ヌクレオチドは、請求項１〜１６のいずれか一項に記載の標識ヌクレオチドを含む、キット。
【請求項１９】
反応混合物中に２つ以上の異なるタイプの発光標識ヌクレオチドを含む核酸配列決定反応組成物であって、各タイプの発光標識ヌクレオチドが請求項１〜１６のいずれか一項に記載の標識ヌクレオチドを含む、核酸配列決定反応組成物。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
プロペラを含むノイズ源を少なくとも部分的に囲むように構成される航空機のためのシュラウドであって、シュラウドの内部に位置する２つ以上の吸音材料を含み、
前記２つ以上の吸音材料は、第１の及び第２の材料を含み、第１の材料は繊維性材料または連通孔多孔質材料であり、
前記プロペラはジェットエンジンの一部ではなく、
前記プロペラから生じるノイズを主に内部或いは上部方向に向かって反射するように形成された、シュラウド。
【請求項２】
前記第１の材料は、ナノファイバーまたはメラミンフォームの一方である、請求項１に記載のシュラウド。
【請求項３】
前記第１の材料は、添加物を含み、
前記添加物は、前記第１の材料の吸音を改善するように構成される、又は、エアロゲル粒子、ＴＰＵ粒子、またはガラスビードである、請求項１または２に記載のシュラウド。
【請求項４】
前記第２の材料は、薄い軽量材料、繊維性材料、連通孔多孔質材料、メラミンフォーム、または、ナノファイバーのうちの１つである、請求項１から３のいずれか一項に記載のシュラウド。
【請求項５】
前記第１の材料の第１の層は２００ミクロン〜３００ミクロンの厚さを有する、請求項１から４のいずれか一項に記載のシュラウド。
【請求項６】
前記第２の材料の第２の層は１５ｍｍ〜３５ｍｍの厚さを有する、請求項５に記載のシュラウド。
【請求項７】
前記第１の層は前記第２の層より前記ノイズ源に近い、請求項６に記載のシュラウド。
【請求項８】
空気ギャップが、前記第１の材料と前記第２の材料との間に設けられる、請求項１から７のいずれか一項に記載のシュラウド。
【請求項９】
前記２つ以上の吸音材料はシュラウドを実質的に充填する、請求項１から８のいずれか一項に記載のシュラウド。
【請求項１０】
凹所を有する外層をさらに含み、前記凹所は、前記プロペラのブレードの先端の少なくとも一部を部分的に囲むように位置しサイズ決定される、請求項１から９のいずれか一項に記載のシュラウド。
【請求項１１】
ノイズを、前記ノイズ源からシュラウドの内部内に伝達するように構成される外層をさらに含む、請求項１から９のいずれか一項に記載のシュラウド。
【請求項１２】
前記外層はアパーチャを含む、請求項１１に記載のシュラウド。
【請求項１３】
音減衰接着剤の層を含む、請求項１から１２のいずれか一項に記載のシュラウド。
【請求項１４】
シュラウドの少なくとも一部はベルマウス状である、請求項１から１３のいずれか一項に記載のシュラウド。
【請求項１５】
前記プロペラは垂直揚力プロペラである、請求項１から１４のいずれか一項に記載のシュラウド。
【請求項１６】
少なくとも１つのブレードを有するプロペラを含むノイズ源を少なくとも部分的に囲むように構成される航空機のためのシュラウドであって、凹所を有する外層を含み、前記凹所は、前記少なくとも１つのブレードの先端の少なくとも一部を部分的に囲むように位置しサイズ決定され、
前記プロペラはジェットエンジンの一部ではなく、
実質的に環状である、シュラウド。
【請求項１７】
内部に無人航空機の部品としてのプロペラを含む、請求項１に記載のシュラウド。
【請求項１８】
吸音係数が８００〜１４００Ｈｚの周波数帯で０．３以上である、少なくとも１つまたは２つ以上の吸音材料を内部に有する、請求項１に記載のシュラウド。
【請求項１９】
密度が１０００ｇ/ｍ３以下である、少なくとも１つまたは２つ以上の吸音材料を内部に有する、請求項１８に記載のシュラウド。
【請求項２０】
実質的に環状である、請求項１に記載のシュラウド。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
可溶性コーヒー抽出物と；
中鎖トリグリセリド（ＭＣＴ）と；
高アシルジェランガムと；
植物性タンパク質と；
緩衝剤と、を含み、
可溶性コーヒー抽出物が０．５〜２．５ｗ／ｗ％であり、ＭＣＴが５〜１０ｗ／ｗ％であり、高アシルジェランガムが０．０１〜０．０４ｗ／ｗ％であり、植物性タンパク質が０．３〜１．０ｗ／ｗ％のエンドウ豆タンパク質である、
常温保存可能なレディ・トゥ・ドリンクコーヒー飲料。
【請求項２】
グアーガム、ペクチン、デンプン、及び／又はこれらの組み合わせを更に含む、請求項１に記載の飲料。
【請求項３】
０〜１０ｗ／ｗ％の範囲の糖を更に含む、請求項１に記載の飲料。
【請求項４】
スクロース、ラクトース、グルコース、フルクトース、及び／又はこれらの組み合わせを含む糖を更に含む、請求項１に記載の飲料。
【請求項５】
前記緩衝剤が、重炭酸ナトリウム、リン酸二カリウム、クエン酸塩、及び／又はこれらの組み合わせを含む、請求項１に記載の飲料。
【請求項６】
０〜０．３ｗ／ｗ％の範囲の重炭酸ナトリウムを含む、請求項５に記載の飲料。
【請求項７】
高アシルジェランガムと、糖と、緩衝剤とを添加する工程と；
植物性タンパク質と、可溶性コーヒー抽出物とを添加する工程と；
ＭＣＴ油を添加する工程と；
７０〜８０℃で、約１３５／３５ｂａｒで均質化する工程と；
続いて、１４１〜１４８℃で２〜６秒間ＵＨＴ処理し、１５〜２５℃まで冷却する工程と；
無菌条件下で容器に充填する工程と、
を含む、請求項１〜６のいずれか一項に記載のレディ・トゥ・ドリンクコーヒー飲料の、製造方法。
【誤訳訂正書】
【提出日】令和3年4月15日(2021.4.15)
【誤訳訂正１】
【訂正対象書類名】特許請求の範囲
【訂正対象項目名】請求項１
【訂正方法】変更
【訂正の内容】
【請求項１】
以下の工程を含む、ヒト化免疫グロブリン可変ドメインをコードする核酸配列を作製するための方法:
（a）非ヒト重鎖または軽鎖可変ドメインのアミノ酸配列を、該非ヒト重鎖または軽鎖可変ドメインの第1のヒト化変種と（最大レベルのアミノ酸配列同一性で）アライメントする工程であって、該第1のヒト化変種が、それぞれの非ヒト抗体重鎖または軽鎖可変ドメインのCDRまたは超可変領域または特異性決定残基を、
（i）該非ヒト可変ドメインに対して最も高い配列相同性を有するヒト生殖細胞系アミノ酸配列、または
（ii）アライメントした場合に単一のヒト生殖細胞系アミノ酸配列よりも高い相同性を有する、2つまたはそれ以上のヒト生殖細胞系アミノ酸配列フラグメント、または
（iii）VH/VL角度を維持することができるヒト生殖細胞系アミノ酸配列
に移植することによって得られたものである、工程；
（b）非ヒト重鎖または軽鎖可変ドメインと該非ヒト重鎖または軽鎖可変ドメインの第1のヒト化変種とが異なるアミノ酸残基を有する、アライメントされたフレームワーク位置であって、その差異ゆえに、（Fvとしてのそれぞれ他方の可変ドメインとの組合せで）可変ドメインの抗原結合および/または三次元構造に影響を及ぼす位置を特定する工程；
（c）工程（b）において特定された1つまたは複数のアミノ酸残基を、（Fvとしてのそれぞれ他方の可変ドメインとの組合せで）可変ドメインの直接的な抗原結合および/または三次元構造に及ぼす影響が、置換されるアミノ酸残基よりも少ないアミノ酸残基で置換することによって、該非ヒト重鎖または軽鎖可変ドメインの第1のヒト化変種を改変する工程；
（d）改変された可変ドメインをコードする核酸配列を作製し、それによってヒト化免疫グロブリン可変ドメインをコードする核酸配列を作製する工程。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
固形投与形態にある医薬製剤であって、
(a)約１ｍｇ〜約５００ｍｇの3-(4-クロロ-2-(モルフォリン-4-イル)チアゾール-5-イル)-7-(1-エチルプロピル)-2,5-ジメチルピラゾロ(1,5-α)ピリミジン又はその薬剤的に許容できる塩若しくは溶媒和物と、
(b)医薬製剤の約５重量％〜約９５重量％の希釈剤
とを含む、医薬製剤。
【請求項２】
約１０ｍｇから約３００ｍｇの3-(4-クロロ-2-(モルフォリン-4-イル)チアゾール-5-イル)-7-(1-エチルプロピル)-2,5-ジメチルピラゾロ(1,5-α)ピリミジンを含む、請求項１記載の医薬製剤。
【請求項３】
約１０ｍｇの3-(4-クロロ-2-(モルフォリン-4-イル)チアゾール-5-イル)-7-(1-エチルプロピル)-2,5-ジメチルピラゾロ(1,5-α)ピリミジンを含む、請求項１記載の医薬製剤。
【請求項４】
約２５ｍｇの3-(4-クロロ-2-(モルフォリン-4-イル)チアゾール-5-イル)-7-(1-エチルプロピル)-2,5-ジメチルピラゾロ(1,5-α)ピリミジンを含む、請求項１記載の医薬製剤。
【請求項５】
約５０ｍｇの3-(4-クロロ-2-(モルフォリン-4-イル)チアゾール-5-イル)-7-(1-エチルプロピル)-2,5-ジメチルピラゾロ(1,5-α)ピリミジンを含む、請求項１記載の医薬製剤。
【請求項６】
約２００ｍｇの3-(4-クロロ-2-(モルフォリン-4-イル)チアゾール-5-イル)-7-(1-エチルプロピル)-2,5-ジメチルピラゾロ(1,5-α)ピリミジンを含む、請求項１記載の医薬製剤。
【請求項７】
前記希釈剤が、炭酸カルシウム、微結晶セルロース、リン酸カルシウム、デンプン、アルファ化デンプン、炭酸ナトリウム、マンニトール及びラクトース一水和物から成る群より選ばれる請求項１記載の医薬製剤。
【請求項８】
前記希釈剤がラクトース一水和物である、請求項７記載の医薬製剤。
【請求項９】
前記ラクトース一水和物が、医薬製剤の約２０重量％〜約７５重量％である、請求項８記載の医薬製剤。
【請求項１０】
前記ラクトース一水和物が、医薬製剤の約40.25重量％である、請求項９記載の医薬製剤。
【請求項１１】
前記ラクトース一水和物が、16.1ｍｇ、40.25ｍｇ、80.5ｍｇ又は322ｍｇである、請求項８記載の医薬製剤。
【請求項１２】
第２の希釈剤をさらに含み、該第２の希釈剤が微結晶セルロースを含む、請求項１記載の医薬製剤。
【請求項１３】
前記微結晶セルロースが、医薬製剤の約２５重量％である、請求項１２記載の医薬製剤。
【請求項１４】
医薬製剤の約１重量％〜約６重量％の結合剤を含み、該結合剤がコーンスターチ、ジャガイモデンプン、ゼラチン、スクロース、ヒドロキシプロピルセルロース（ＨＰＣ）、ポリビニルピロリドン（ＰＶＰ）、およびヒドロキシプロピルメチルセルロース（ＨＰＭＣ）から成る群より選ばれる、請求項１記載の医薬製剤。
【請求項１５】
前記結合剤がＨＰＣを含む、請求項１４記載の医薬製剤。
【請求項１６】
前記ＨＰＣが、医薬製剤の約３重量％である、請求項１５記載の医薬製剤。
【請求項１７】
約0.5重量％〜約１０重量％の界面活性剤を含み、該界面活性剤が、ラウリル硫酸ナトリウム、ドデシル体及びヘキサデシル体を含むテトラデシルトリメチルアンモニウムブロミド、塩化ベンザルコニウム、塩化セチルピリジニウム、アルキル硫酸塩、アルキルエトキシレートスルフェート、石けん、カルボン酸イオン、硫酸イオン、スルホン酸イオン、ポリオキシエチレン誘導体、ポリオキシプロピレン誘導体、ポリオール誘導体、ポリオールエステル、ポリオキシエチレンエステル、ポロキサマー、グリコール、グリセロールステル、ソルビタン誘導体及びポリエチレングリコールから成る群より選ばれる、請求項１記載の医薬製剤。
【請求項１８】
前記界面活性剤がラウリル硫酸ナトリウムを含む、請求項１７記載の医薬製剤。
【請求項１９】
ラウリル硫酸ナトリウムが、医薬製剤の約0.75重量％である、請求項１８記載の医薬製剤。
【請求項２０】
デンプン、アルギン酸、ac-diゾル、クロスカルメロースナトリウム、デンプングリコール酸ナトリウム及びクロスポビドンから成る群より選ばれる崩壊剤をさらに含む、請求項１記載の医薬製剤。
【請求項２１】
前記崩壊剤がクロスカルメロースナトリウムを含む、請求項２０記載の医薬製剤。
【請求項２２】
流動促進剤をさらに含み、該流動促進剤がコロイダル二酸化ケイ素である、請求項１記載の医薬製剤。
【請求項２３】
滑沢剤をさらに含み、該滑沢剤が、タルク、ステアリン酸、ステアリン酸マグネシウム及びフマル酸ステアリルナトリウムから成る群より選ばれる、請求項１記載の医薬製剤。
【請求項２４】
前記滑沢剤が、ステアリン酸マグネシウムを含む、請求項１記載の医薬製剤。
【請求項２５】
前記固形投与形態が錠剤である、請求項１記載の医薬製剤。
【請求項２６】
前記固形投与形態が顆粒である、請求項１記載の医薬製剤。
【請求項２７】
前記顆粒がカプセルに包装されたものである、請求項２６記載の医薬製剤。
【請求項２８】
前記顆粒がサッシェに包装されたものである、請求項２６記載の医薬製剤。
【請求項２９】
錠剤の形態にある医薬製剤であって、
(a)約１０ｍｇ〜約３００ｍｇの3-(4-クロロ-2-(モルフォリン-4-イル)チアゾール-5-イル)-7-(1-エチルプロピル)-2,5-ジメチルピラゾロ(1,5-α)ピリミジン又はその薬剤的に許容できる塩若しくは溶媒和物と、
(b)前記錠剤の約４０重量％〜約７５重量％の第１の希釈剤であって、ラクトース一水和物を含む第１の希釈剤と、
(c)前記錠剤の約２５重量％の第２の希釈剤であって、微結晶セルロースを含む第２の希釈剤と、
(d)前記錠剤の約６重量％のヒドロキシプロピルセルロースと、
(e) 前記錠剤の約0.5重量％のラウリル硫酸ナトリウムと、
(f) 前記錠剤の約４重量％のクロスカルメロースナトリウムと
を含む医薬製剤。
【請求項３０】
流動促進剤をさらに含み、該流動促進剤がコロイダル二酸化ケイ素である、請求項２９記載の医薬製剤。
【請求項３１】
滑沢剤をさらに含み、該滑沢剤がステアリン酸マグネシウムを含む、請求項２９記載の医薬製剤。